(57)【特許請求の範囲】
【請求項１】
接続する他の端末に対し、入力された店舗の利用に係る数をＤ２Ｄ（Ｄｅｖｉｃｅ  ｔｏ  Ｄｅｖｉｃｅ）通信にて直接送信する要求部と、
前記送信に応じて前記他の端末から前記Ｄ２Ｄ通信により直接返信された店舗情報を表示する表示部と、
前記他の端末から広告データを前記Ｄ２Ｄ通信にて直接受信する受信部と、
前記受信部が前記広告データを受信すると、受信確認を示すメッセージを前記Ｄ２Ｄ通信にて前記他の端末に直接送信する送信部と、
所定のメモリに格納されたメールが既読されると、前記メールについて開封済であることを示す表示を行うメーラーと、を備え、
前記受信部は、受信した前記広告データを前記メールとして前記所定のメモリに格納し、
前記メーラーは、前記広告データに対応するメールについて前記開封済であることを示す表示を行うと、所定の信号を出力し、
前記送信部は、前記所定の信号が入力されると、広告データ開封を示すメッセージを、前記Ｄ２Ｄ通信にて前記他の端末に直接送信する、
ことを特徴とする端末。
【請求項２】
接続する他の端末に対し、入力された店舗の利用に係る数をＤ２Ｄ（Ｄｅｖｉｃｅ  ｔｏ  Ｄｅｖｉｃｅ）通信にて直接送信する要求部と、
前記送信に応じて前記他の端末から前記Ｄ２Ｄ通信により直接返信された店舗情報を表示する表示部と、
前記他の端末から広告データを前記Ｄ２Ｄ通信にて直接受信する受信部と、
前記受信部が前記広告データを受信すると、受信確認を示すメッセージを前記Ｄ２Ｄ通信にて前記他の端末に直接送信する送信部と、を備え、
前記表示部は、前記店舗情報と共に、押下可能なボタンを表示し、
前記送信部は、前記ボタンが押下されると、予約を示すメッセージを前記Ｄ２Ｄ通信にて前記他の端末に直接送信する、
ことを特徴とする端末。
【請求項３】
所定のメモリに格納されたメールが既読されると、前記メールについて開封済であることを示す表示を行うメーラーを備え、
前記受信部は、受信した前記広告データを前記メールとして前記所定のメモリに格納し、
前記メーラーは、前記広告データに対応するメールについて前記開封済であることを示す表示を行うと、所定の信号を出力し、
前記送信部は、前記所定の信号が入力されると、広告データ開封を示すメッセージを、前記Ｄ２Ｄ通信にて前記他の端末に直接送信する、
ことを特徴とする請求項２に記載の端末。
【請求項４】
前記要求部は、入力されたユーザ所望の条件を示す情報を前記情報に含めて送信する、ことを特徴とする請求項１乃至３のいずれか１項に記載の端末。
【請求項５】
入力された店舗の収容能力に係る数、すなわち収容数を含む店舗情報を記憶する記憶部と、
接続する他の端末から、前記店舗の利用に係る数、すなわち利用数をＤ２Ｄ（Ｄｅｖｉｃｅ  ｔｏ  Ｄｅｖｉｃｅ）通信にて直接受信する受信部と、
前記受信部が受信した前記利用数が前記収容数よりも少ないときに、前記店舗情報を前記他の端末に前記Ｄ２Ｄ通信にて直接送信する応答部と、
所定の信号が入力されると、所定の広告データを前記他の端末に前記Ｄ２Ｄ通信にて直接送信する送信部と、
前記広告データの前記送信に応じて前記他の端末から前記Ｄ２Ｄ通信により直接返信された受信確認を示すメッセージ、広告データ開封を示すメッセージ、及び予約を示すメッセージ各々の数をカウントして表示する表示部と、を備える、
ことを特徴とする端末。
【請求項６】
前記記憶部は、前記店舗に係る情報も含む前記店舗情報を記憶し、
前記店舗に係る情報は、前記店舗の営業時間と、前記店舗に前記収容可能な人数と、を含む情報であり、
前記店舗の利用に係る数は、前記店舗に入店する人数と、前記店舗に入店する時間と、であり、
前記受信部は、前記他の端末のユーザ所望の条件を示す情報を含む情報を前記他の端末から受信し、
前記応答部は、前記店舗に入店する時間が前記店舗の営業時間内であり、且つ、前記店舗に入店する人数が前記収容可能人数以内であり、且つ、前記受信部が受信した前記情報から抽出した前記他の端末のユーザ所望の条件を示す情報が、前記店舗に係る情報の示す範囲に含まれているときには、前記店舗情報を前記他の端末に前記Ｄ２Ｄ通信にて直接送信する、
ことを特徴とする請求項５に記載の端末。
【請求項７】
無線回線を介して接続される第１の端末と第２の端末を備え、
前記第１の端末は、請求項１乃至４のいずれか１項に記載の端末であり、
前記第２の端末は、請求項５乃至６のいずれか１項に記載の端末である、
ことを特徴とするシステム。
【請求項８】
無線回線を介して接続される第１の端末と第２の端末を備え、
前記第１の端末は、請求項１乃至４のいずれか１項に記載の端末であり、
前記第２の端末は、
入力された店舗の収容能力に係る数、すなわち収容数を含む店舗情報を記憶する記憶部と、
接続する他の端末から、前記店舗の利用に係る数、すなわち利用数をＤ２Ｄ（Ｄｅｖｉｃｅ  ｔｏ  Ｄｅｖｉｃｅ）通信にて直接受信する受信部と、
前記受信部が受信した前記利用数が前記収容数よりも少ないときに、前記店舗情報を前記他の端末に前記Ｄ２Ｄ通信にて直接送信する応答部と、
を備える、
ことを特徴とするシステム。
【請求項９】
前記記憶部は、前記店舗に係る情報も含む前記店舗情報を記憶し、
前記店舗に係る情報は、前記店舗の営業時間と、前記店舗に前記収容可能な人数と、を含む情報であり、
前記店舗の利用に係る数は、前記店舗に入店する人数と、前記店舗に入店する時間と、であり、
前記受信部は、前記他の端末のユーザ所望の条件を示す情報を含む情報を前記他の端末から受信し、
前記応答部は、前記店舗に入店する時間が前記店舗の営業時間内であり、且つ、前記店舗に入店する人数が前記収容可能人数以内であり、且つ、前記受信部が受信した前記情報から抽出した前記他の端末のユーザ所望の条件を示す情報が、前記店舗に係る情報の示す範囲に含まれているときには、前記店舗情報を前記他の端末に前記Ｄ２Ｄ通信にて直接送信する、
ことを特徴とする請求項８に記載のシステム。
【請求項１０】
無線回線を介して接続される第１の端末と第２の端末を備え、
前記第１の端末は、
接続する他の端末に対し、入力された店舗の利用に係る数をＤ２Ｄ（Ｄｅｖｉｃｅ  ｔｏ  Ｄｅｖｉｃｅ）通信にて直接送信する要求部と、
前記送信に応じて前記他の端末から前記Ｄ２Ｄ通信により直接返信された店舗情報を表示する表示部と、を備え、
前記第２の端末は、請求項５乃至６のいずれか１項に記載の端末である、
ことを特徴とするシステム。
【発明の詳細な説明】
【技術分野】
【０００１】
本発明は、端末、システム、情報提供方法に関し、特に、店舗の情報を提供する端末、システム、情報提供方法に関する。
【背景技術】
【０００２】
携帯端末のユーザは、懇親会において急遽、二次会の店舗を予約することとなった場合、付近の店舗を携帯端末で検索し、検索した複数の店舗に１店舗ずつ電話して、現在、空席があるか、入店可能な人数はどの程度か等、店舗の情報を取得していた。しかし、携帯端末のユーザは、店舗を検索してから店舗の情報を取得するまでの一連の作業（以下、「店舗情報取集作業」という）を負担に感じることがあった。
【０００３】
携帯端末のユーザの店舗情報収集作業を軽減する為、店舗の情報を携帯端末のユーザに提供するシステムが知られている。
【０００４】
上述の店舗の情報を提供するシステムとしては、以下の特許文献１に開示がされている。
【０００５】
特許文献１の予約処理システムは、無線端末と、店舗に設置された無線ＬＡＮ（Ｌｏｃａｌ  Ａｒｅａ  Ｎｅｔｗｏｒｋ）アクセスポイントと、店舗に設置された店舗端末と、予約処理装置と、を備える。無線ＬＡＮアクセスポイント、店舗端末、及び予約処理装置は、互いに接続される。また、予約処理装置には、無線ＬＡＮアクセスポイントの設置店舗に関連する店舗の情報（例えば、「店舗Ｂ」、「店舗Ｃ」、「店舗Ｄ」）が予め設定される。
【０００６】
予約処理装置は、始めに、無線ＬＡＮアクセスポイントの通信エリア内に存在する無線端末を検出する。また、予約処理装置は、店舗端末から、予約可能な店舗の情報（例えば、「店舗Ａ」、「店舗Ｃ」、「店舗Ｄ」、「店舗Ｅ」の情報）を取得する。予約処理装置は、予め設定された所定の店舗の情報（「店舗Ｂ」、「店舗Ｃ」、「店舗Ｄ」の情報）のうち、取得した予約可能な店舗の情報に含まれる店舗の情報（すなわち、「店舗Ｃ」、「店舗Ｄ」の情報）を、予約可能な店舗の情報として抽出する。予約処理装置は、抽出した予約可能な店舗の情報を、始めに検出した無線端末に通知する。
【０００７】
上述の構成や動作の通り、特許文献１の予約処理システムは、予約可能な店舗の情報を無線端末（携帯端末）のユーザに提供することができる。
【先行技術文献】
【特許文献】
【０００８】
【特許文献１】特開２０１３−２３５５１１号公報
【発明の概要】
【発明が解決しようとする課題】
【０００９】
しかし、特許文献１の予約処理システムは、予約可能な店舗の情報をユーザに提供し続けるにあたり、保守コストを十分に低減できていないという課題があった。
【００１０】
なぜならば、特許文献１の予約処理システムは、予約可能な店舗の情報を携帯端末のユーザに提供する為には、予約処理装置（保守が必要な装置）を動作させ続けなければならないからである。
【００１１】
また、特許文献１の予約処理システムは、無線端末のユーザに、予約が可能な店舗の情報を提供するものの、それが、ユーザ所望の条件に合致する店舗の情報とは限らないという課題もあった。
【００１２】
なぜなら、特許文献１の予約処理システムは、所定の店舗情報の中から予約が可能な店舗の情報を抽出して提供するが、そもそも所定の店舗情報は、ユーザが所望する条件に合致する店舗の情報とは限らないからである。その為、特許文献１の予約処理システムを用いる無線端末のユーザは、所望の条件に合致しない店舗（例えば、客先との二次会に適さない店舗）の情報が提供されてしまう場合があった。その結果、無線端末のユーザは、依然として、付近の店舗に１店舗ずつ電話等で確認しなければならなかった。
【００１３】
本発明は、上記課題を解決する端末、システム、情報提供方法を提供することを目的とする。
【課題を解決するための手段】
【００１４】
上記目的を達成するために、本発明の端末は、接続する他の端末に対し、入力された店舗の利用に係る数をＤ２Ｄ（Ｄｅｖｉｃｅ  ｔｏ  Ｄｅｖｉｃｅ）通信にて直接送信する要求部と、前記送信に応じて前記他の端末から前記Ｄ２Ｄ通信により直接返信された店舗情報を表示する表示部と、を備える。
【００１５】
上記目的を達成するために、本発明の端末は、入力された店舗の収容能力に係る数、すなわち収容数を含む店舗情報を記憶する記憶部と、接続する他の端末から、前記店舗の利用に係る数、すなわち利用数をＤ２Ｄ（Ｄｅｖｉｃｅ  ｔｏ  Ｄｅｖｉｃｅ）通信にて直接受信する受信部と、前記受信部が受信した前記利用数が前記収容数よりも少ないときに、前記店舗情報を前記他の端末に前記Ｄ２Ｄ通信にて直接送信する応答部と、を備える。
【００１６】
上記目的を達成するために、本発明のシステムは、無線回線を介して接続される第１の端末と第２の端末を備え、前記第１の端末は、接続する他の端末に対し、入力された店舗の利用に係る数をＤ２Ｄ（Ｄｅｖｉｃｅ  ｔｏ  Ｄｅｖｉｃｅ）通信にて直接送信する要求部と、前記送信に応じて前記他の端末から前記Ｄ２Ｄ通信により直接返信された店舗情報を表示する表示部と、を備える端末であり、前記第２の端末は、入力された店舗の収容能力に係る数、すなわち収容数を含む店舗情報を記憶する記憶部と、接続する他の端末から、前記店舗の利用に係る数、すなわち利用数をＤ２Ｄ通信にて直接受信する受信部と、前記受信部が受信した前記利用数が前記収容数よりも少ないときに、前記店舗情報を前記他の端末に前記Ｄ２Ｄ通信にて直接送信する応答部と、を備える端末である。
【００１７】
上記目的を達成するために、本発明の情報提供方法は、第１の端末のユーザに店舗情報を提供する方法であって、前記第１の端末は、接続する第２の端末に対し、入力された店舗の利用に係る数、すなわち利用数をＤ２Ｄ（Ｄｅｖｉｃｅ  ｔｏ  Ｄｅｖｉｃｅ）通信にて直接送信し、前記第２の端末は、前記第１の端末より直接受信した前記利用数が所定の前記店舗の収容能力に係る数より少ないときに、所定の前記店舗情報を前記第１の端末に前記Ｄ２Ｄ通信にて直接送信し、前記第１の端末は、前記第２の端末から前記Ｄ２Ｄ通信により直接返信された前記店舗情報を表示する。
【発明の効果】
【００１８】
本発明によれば、予約可能な店舗の情報をユーザに提供し続ける為の保守コストを十分に低減できる。
【図面の簡単な説明】
【００１９】
【図１】本発明の第１の実施の形態におけるシステムの構成例を示す図である。
【図２】本発明の第１の実施の形態におけるシステムに備わるユーザ端末に入力される検索条件の一例である。
【図３】本発明の第１の実施の形態におけるシステムに備わる店舗端末に記憶される店舗情報の一例である。
【図４】本発明の第１の実施の形態におけるシステムの動作を説明する為の図である。
【図５】本発明の第１の実施の形態におけるシステムの動作（予約動作）を説明する為の図である。
【図６】本発明の第１の実施の形態におけるシステムのその他の動作（店舗端末から最新の店舗情報が送信される動作）を説明する為の図である。
【図７】本発明の第２の実施の形態におけるシステムの構成例を示す図である。
【図８】本発明の第２の実施の形態におけるシステムの動作を説明する為の図である。
【図９】本発明の第２の実施の形態におけるシステムに備わるユーザ端末について説明する為の図である。
【図１０】本発明の第２の実施の形態におけるシステムのその他の動作（店舗端末から店舗情報が送信される動作）を説明する為の図である。
【図１１】本発明の第３の実施の形態におけるシステムの構成例を示す図である。
【発明を実施するための形態】
【００２０】
次に本発明の実施形態について、図面を参照して詳細に説明する。
【００２１】
≪第１の実施の形態≫
[概要]
本発明の第１の実施の形態におけるシステムは、携帯端末のユーザに対して、ユーザ所望の条件に合致する、予約可能な店舗の情報を提供する。
【００２２】
その為に、本実施形態の携帯端末は、ユーザから検索条件が入力されると、入力された検索条件を、本実施形態の店舗端末にＤ２Ｄ（Ｄｅｖｉｃｅ  ｔｏ  Ｄｅｖｉｃｅ）通信で直接送信する。上述の検索条件は、入店する時間、人数、及びユーザ所望の条件（例えば、希望する店舗のジャンルや店舗に提供してほしい料理名等）を含む情報である。また、店舗端末は、店舗の店員が持つ端末であり、予め店舗の情報（例えば、店舗の営業時間帯や店舗の連絡先等）を記憶している。店舗端末は、検索条件を受信すると、受信した検索条件に現在の店舗が対応可能かを（検索条件の各情報が店舗の情報に含まれるか否かで）判別し、対応可能である場合には、記憶する店舗の情報を、Ｄ２Ｄ通信で携帯端末に直接送信する。本実施形態の携帯端末は、受信した店舗の情報を表示し、ユーザに店舗の情報を提供する。
【００２３】
ここで提供された店舗の情報は、入店する時間と人数に対応可能な店舗の情報なので、予約することが可能な店舗情報である。また、提供された店舗の情報は、ユーザ所望の条件（例えば、希望する店舗のジャンルや店舗に提供してほしい料理）に対応する店舗の情報でもある。ユーザは、自身が所望する条件に対応（合致）する、予約可能な店舗の情報を取得することができる。
【００２４】
さらに、本実施形態のシステムでは、端末同士が直接送受信するので、システムの保守者が保守すべき装置が介在しない。すなわち、本実施形態のシステムは、予約可能な店舗の情報をユーザに提供し続ける為の保守コストを十分に低減できる。
【００２５】
以下に、本発明の第１の実施の形態におけるシステムの構成や機能、動作について説明する。図１は、本発明の第１の実施の形態におけるシステムの構成例を示す図である。
【００２６】
［構成の説明］
まず、本発明の第１の実施の形態におけるシステムの構成と機能について説明する。
【００２７】
（１）本発明の第１の実施の形態におけるシステムの構成
本実施形態のシステムは、図１に示されるように、ユーザ端末１と、店舗Ａの店員が持つ店舗端末２と、店舗Ｂの店員が持つ店舗端末３と、を備える。
【００２８】
ユーザ端末１は、店舗端末２、店舗端末３と無線回線を介して接続される。店舗端末２は、店舗端末３と無線回線を介して接続されてもよい。
【００２９】
（２）ユーザ端末１の機能
ユーザ端末１は、二次会の会場を予約する為、予約可能な店舗の情報を取得したい者（以下、「ユーザ」という）が保持する携帯端末である。ユーザ端末１は、スマートフォンであってもよい。ユーザ端末１は、リリース１２以降の３ＧＰＰ（３ｒｄ  Ｇｅｎｅｒａｔｉｏｎ  Ｐａｒｔｎｅｒｓｈｉｐ  Ｐｒｏｊｅｃｔ）に準拠する無線通信機能を備える。すなわち、ユーザ端末１は、Ｄ２Ｄ（Ｄｅｖｉｃｅ  ｔｏ  Ｄｅｖｉｃｅ）通信によって店舗端末２、３と直接通信する機能を備える。
【００３０】
また、ユーザ端末１は、キーボードなどの入力手段を備える。ユーザ端末１は、ユーザによって入力手段から検索条件が入力される。検索条件とは、入店する時間、人数、及びユーザが所望する条件（例えば、店舗に提供してほしい料理名等）を示す文字や数字である。図２は、本実施形態のシステムに備わるユーザ端末１に入力される検索条件の一例である。図２に示されるように、ユーザ端末１には、入店する時間、人数、及びユーザが所望する条件（例えば、店舗に提供してほしい料理名等）が検索条件として入力される。
【００３１】
ユーザ端末１は、入力された検索条件を、上述のＤ２Ｄ通信によって店舗端末２、３に直接送信する。
【００３２】
ユーザ端末１は、店舗端末２、３から店舗情報をＤ２Ｄ通信によって直接受信すると、受信した店舗情報を自身に備わる画面に表示する。
【００３３】
（３）店舗端末２、３の機能
店舗端末２、３は、それぞれの店舗Ａ、Ｂの店員が保持する端末である。店舗端末２、３は、スマートフォンであってもよい。店舗端末２、３は、ユーザ端末１と同様、Ｄ２Ｄ通信によってユーザ端末１と直接通信する機能を備える。
【００３４】
店舗端末２、３は、キーボードなどの入力手段と、メモリ等の記憶手段を備える。店舗端末２、３は、入力手段を介して店舗Ａ、Ｂの店員により店舗情報が入力されると、入力された店舗情報を記憶手段に記憶する。図３は、本実施形態のシステムに備わる店舗端末２、３に記憶される店舗情報の一例である。図３に示されるように、店舗端末２、３は、営業している時間帯や現在、収容可能な人数、その他店舗に係る情報（例えば、店名や店の連絡先、店が提供する料理のメニュー等）を店舗情報として記憶する。店舗情報は、店舗Ａ、Ｂの店員によって随時更新されることが望ましい。
【００３５】
店舗端末２、３は、ユーザ端末１から検索条件をＤ２Ｄ通信により直接受信すると、記憶手段に記憶している店舗情報を読み出す。次に、店舗端末２、３は、受信した検索条件に店舗が対応可能か判別する。具体的には、店舗端末２、３は、受信した検索条件の各情報（例えば、入店する時間、人数、及びユーザ所望の条件）が店舗情報に含まれているか否かを判別する。すなわち、店舗端末２、３は、受信した検索条件の入店予定時間が営業時間帯以内で、且つ、検索条件の人数が現在収容可能な人数以内、且つ、ユーザ所望の条件（例えば料理名）が店舗情報（例えば、メニューに示される料理名）に含まれているか否かを判別する。
【００３６】
店舗端末２、３は、受信した検索条件の各情報が店舗情報に含まれている場合には、記憶する店舗情報を、Ｄ２Ｄ通信によってユーザ端末１に直接送信する。店舗端末２、３は、検索条件の各情報が店舗情報に含まれていない場合には、何も送信せず、検索条件を受信するのを待つ。
【００３７】
なお、上述のユーザ端末１、店舗端末２、及び店舗端末３の機能は、スマートフォン上で動作する一般的なアプリケーションを用いて実現してもよい。
【００３８】
［動作の説明］
図４は、本発明の第１の実施の形態におけるシステムの動作を説明する為の図である。図４を用いて、本実施形態のシステムの詳細な動作を以下に説明する。
【００３９】
（１）ユーザ所望の条件に合致する、予約可能な店舗の情報を提供する動作
まず、ユーザ端末１のユーザは、図４に示されるように、検索条件を入力手段（キーボード）からユーザ端末１に入力する（Ｓ１）。
【００４０】
以下、ユーザ端末１のユーザが、検索条件として、入店する時間、人数、及びユーザ所望の条件（希望する店舗のジャンル、店舗に提供してほしい料理名）をユーザ端末１に入力したものとして説明を続ける。
【００４１】
ユーザ端末１は、入力された検索条件をＤ２Ｄ通信によって店舗端末２、３に直接送信する（Ｓ２）。
【００４２】
次に、店舗端末２、３は、ユーザ端末１から検索条件を直接受信すると、受信した検索条件の各情報（例えば、入店する時間、人数、希望する店舗のジャンル、及び料理名）が店舗情報に含まれているか否かを判別する（Ｓ３）。
【００４３】
具体的には、店舗端末２、３は、以下の条件１〜４を満たすか否か判別する。
【００４４】
（条件１）受信した検索条件の入店する時間が、店舗情報に示される営業時間帯内。
【００４５】
（条件２）受信した検索条件の入店する人数が、店舗情報に示される現在収容可能な人
数以内。（入店する人数が、０〜現在収容可能な人数内。）
（条件３）受信した検索条件の店舗のジャンルが、店舗情報に示される業態に含まれる。
【００４６】
（条件４）受信した検索条件の料理名が、店舗情報に示されるメニューに示される料理
名に含まれる。
【００４７】
次に、店舗端末２、３は、受信した検索条件の各情報が店舗情報に含まれている場合、すなわち検索条件の各種情報が上述の条件１〜４全てを満たす場合（Ｓ３でＹｅｓの場合）には、記憶する店舗情報を、Ｄ２Ｄ通信によってユーザ端末１に直接送信する（Ｓ４）。
【００４８】
このとき、店舗端末２は店舗Ａの店舗情報を送信し、店舗端末３は、店舗Ｂの店舗情報を送信したものとして説明を続ける。
【００４９】
次に、ユーザ端末１は、Ｄ２Ｄ通信によって店舗端末２、３から店舗情報を直接受信すると、受信した店舗Ａ、Ｂの店舗情報を自身に備わる画面に表示する（Ｓ５）。
【００５０】
表示された店舗情報は、入店する時間と人数に対応可能な店舗の情報なので、予約が可能な店舗の情報である。また、表示された店舗情報は、ユーザ所望の条件（希望する店舗のジャンルや店舗に提供してほしい料理）に合致する店舗の情報でもある。ユーザは、上述のＳ１〜Ｓ５により、所望の条件に合致する、予約可能な店舗の情報を取得することができる。
【００５１】
なお、上述のＳ３において、検索条件の各情報のいずれかが上述の条件１〜４を満たさない場合（Ｓ３でＮｏの場合）には、店舗端末２、３は、何もユーザ端末１に送信せず、処理を終了する。
【００５２】
（２）上述のＳ３の動作について
（２−１）検索条件に予算金額が含まれている場合
上述のＳ３において、店舗端末２、３は、検索条件に予算金額が含まれている場合には、その予算金額が、店舗情報に示される平均支払額以内（０円〜お客様の平均支払額内）か否かを条件５として判別してもよい。その場合、上述のＳ４において、店舗端末２、３は、条件１〜５全てを満たす場合に、記憶する店舗情報を、Ｄ２Ｄ通信によってユーザ端末１に直接送信する。
【００５３】
（２−２）あいまい検索をする場合
上述のＳ３において、店舗端末２、３は、あいまい検索を行ってもよい。具体的には、店舗端末２、３は、検索条件が条件１、２を満たし、且つ、条件１、２以外の条件（例えば条件３〜５）のいずれかを満たすのか否か判別してもよい。店舗端末２、３は、検索条件が条件１、２を満たし、且つ、条件１、２以外の条件のいずれかを満たす場合には、記憶する店舗情報を、Ｄ２Ｄ通信によりユーザ端末１に直接送信する。
【００５４】
（３）店舗情報を受信しないときのユーザ端末１の動作について
また、ユーザ端末１は、店舗端末２、３のどちらかも店舗情報を受信しないときには、「ご希望の予約可能な店舗の情報はありません」と表示してもよい。その為に、ユーザ端末１は、上述のＳ２において、検索条件を店舗端末２、３に直接送信すると、自身に備わる計時機能（以下、タイマー）を動作させ、時間の計測を開始してもよい。ユーザ端末１は、計測する時間が所定の時間を経過しても、店舗端末２、３から店舗情報を受信しないときに、「ご希望の予約可能な店舗の情報はありません」と表示し、タイマーを停止する。上述の所定の時間は、ユーザ端末１のユーザによって、ユーザ端末１に設定される。
【００５５】
（４）予約する場合の動作
所望の条件に合致する、予約可能な店舗の情報が端末画面に表示されたユーザは、店舗に対して、以下のように予約を行うことができる。店舗への予約を実現する為に、本実施形態のシステムは、上述のＳ２、Ｓ５にて以下の動作を追加で実施する。
【００５６】
（４−１）予約の為に上述のＳ２、Ｓ５にて追加で実施される動作
（４−１−１）Ｓ２で追加される動作
ユーザ端末１は、上述のＳ２において、店舗端末２、３に検索条件を送信した後、送信した検索条件の中から入店する時間、人数を抽出し、それらを記憶する。
【００５７】
（４−１−２）Ｓ５で追加される動作
また、ユーザ端末１は、上述のＳ５において、店舗Ａの店舗情報と共に、押下可能なボタン（以下、「店舗Ａボタン」という）を表示し、店舗Ｂの店舗情報と共に、押下可能なボタン（以下、「店舗Ｂボタン」という）を表示する。
【００５８】
ここで、上述のＳ５で、ユーザ端末１と店舗端末２、３はＤ２Ｄ通信を行うことを記載したが、より詳細に説明すると、ユーザ端末１と店舗端末２、３が、それらの間で所定の情報を交換して確立したＤ２Ｄリンク上で通信を行うことである。
【００５９】
上述の店舗Ａボタンは、ユーザ端末１と店舗端末２との間で確立しているＤ２Ｄリンクを示す所定の識別子（以下、「識別子Ａ」という）がユーザ端末１により設定されており、押下されると、識別子Ａを電気信号として出力するボタンであってもよい。同様に、店舗Ｂボタンは、ユーザ端末１と店舗端末３との間で確立しているＤ２Ｄリンクを示す所定の識別子（以下、「識別子Ｂ」という）が設定されており、押下されると、識別子Ｂを電気信号として出力するボタンであってもよい。
【００６０】
店舗Ａボタン、店舗Ｂボタンには、「店舗Ａに予約」、「店舗Ｂに予約」との文字が表記される。
【００６１】
以下、ユーザ端末１のユーザが、店舗Ａに予約をすべく、店舗Ａボタン押下したものとして説明を続ける。図５は、本発明の第１の実施の形態におけるシステムの動作（予約動作）を説明する為の図である。
【００６２】
（４−２）予約する場合の動作
ユーザ端末１は、上述の店舗Ａボタンが押下されると、図５に示されるように、Ｄ２Ｄ通信機能によって店舗端末２に対し、予約を示すメッセージを直接送信する（Ｓ６）。
【００６３】
具体的には、ユーザ端末１は、店舗Ａボタンが押下されると、そのボタンから出力された電気信号（識別子Ａ）が示す店舗端末２との間で確立しているＤ２Ｄリンクに対し、予約を示すメッセージを送信する。
【００６４】
なお、ユーザ端末１は、予約を示すメッセージに、上述のＳ２で記憶した入店する時間と人数を含めて送信する。入店する人数分の座席を予約する為である。
【００６５】
次に、店舗端末２は、Ｄ２Ｄ通信により、予約を示すメッセージを受信すると、受信したメッセージから入店する時間と人数を抽出し、抽出した人数分の座席を確保する（Ｓ７）。
【００６６】
上述のＳ７は、具体的には、以下のように実現される。
【００６７】
（４−２−１）上述のＳ７の具体的動作
まず、店舗端末２は、受信した予約を示すメッセージから入店する時間と人数を抽出すると、記憶する店舗情報を読み出す。さらに、店舗端末２は、読み出した店舗情報に含まれる収容可能な人数から、抽出した上述の人数（入店する人数）を差し引いた人数を、新たな収容可能な人数として算出する。店舗端末２は、算出した新たな収容可能な人数で、記憶する店舗情報の収容可能な人数を更新する。さらに、店舗端末２は、算出した人数、すなわち新たな収容可能な人数を自身に備わる画面に表示し、それ以上の人数を入店させないように促すメッセージを表示する。これにより、店舗端末２を保持する店員は、表示される人数以上のお客を入店しないよう喚起され、抽出した人数分の座席が確保される。
【００６８】
（４−２−２）上述のＳ７で実施してもよい動作
店舗端末２は、入店する時間と人数を抽出すると、抽出した入店する時間と人数を、自身に備わる画面に表示すると共に、予約が入ったことを示す所定の音楽を奏でてもよい。店員は、奏でられる音楽を聴くことで、予約がはいったことを知ることができる。
【００６９】
上述の所定の音楽は、店舗端末２を保持する店員が店舗端末２に予め設定する。店舗端末２を保持する店員は、好みの音楽を、予約が入ったことを示す音楽として店舗端末２に設定してもよい。
【００７０】
さらに、店舗端末２は、上述のＳ７において、抽出した入店する時間の所定時間前になってから、上述の店舗情報の収容可能な人数を更新する処理を行ってもよい。入店する時間が何時間も先だと、その時間になるまで座席がずっと確保されてしまい、座席の回転率が悪くなるからである。所定時間は、店舗端末２を保持する店員が店舗端末２に予め設定する。
【００７１】
（４−２−３）上述のＳ７の後の動作
次に、上述のＳ７の後、店舗端末２は、図５に示されるように、予約完了を示すメッセージを、Ｄ２Ｄ通信によってユーザ端末１に直接送信する（Ｓ８）。
【００７２】
次に、ユーザ端末１は、予約完了を示すメッセージを、Ｄ２Ｄ通信によって受信すると、予約完了した旨を、自身に備わる画面に表示する（Ｓ９）。
【００７３】
（５）その他の追加動作（店舗端末２、３から店舗情報が送信される動作）
店舗端末２、３は、店舗Ａ、Ｂの店員によって店舗情報が入力される。店舗端末２、３は、上述のＳ４を実施した後に、最新の店舗情報が入力されると、入力された最新の店舗情報をユーザ端末１に（自主的に）送信してもよい。ユーザ端末１のユーザは、継続して最新の店舗情報を取得することができる。
【００７４】
上述の動作は、以下のＳ１０〜Ｓ１２の通りに実現される。図６は、本発明の第１の実施の形態におけるシステムの動作（店舗端末２、３から最新の店舗情報が送信される動作）を説明する為の図である。
【００７５】
まず、店舗端末２は、上述のＳ４を実施した後に、図６に示されるように、店舗Ａの店員により最新の店舗情報が入力されたとする（Ｓ１０）。
【００７６】
そのとき、店舗端末２は、入力された最新の店舗情報をＤ２Ｄ通信によりユーザ端末１に直接送信する（Ｓ１１）。
【００７７】
次に、ユーザ端末１は、店舗端末２、３から店舗情報をＤ２Ｄ通信によって直接受信すると、受信した店舗情報を自身に備わる画面に表示する（Ｓ１２）。
【００７８】
（６）検索条件が異なる場合の動作
上記のＳ１において、ユーザ端末１のユーザは、検索条件の１つとして、入店する人数を入力したが、入店する人数の代わりに、利用するテーブル席の数を入力してもよい。その場合、店舗端末２、３には、店舗Ａ、Ｂにおいて空いているテーブル席の数（以下、「空きテーブル席数」という）が店舗情報の１つとして店舗Ａ、Ｂの店員によって予め記憶される。さらに、店舗端末２、３は、上述のＳ３において、条件２の代わりに、以下の条件６を満たすか否かを判別する。
【００７９】
（条件６）受信した検索条件に含まれる、利用するテーブル席の数が、店舗情報に示される空きテーブル席数以内。
【００８０】
上述のＳ３の後、店舗端末２、３は上述のＳ４を実施し、ユーザ端末１は上述のＳ５を実施して店舗情報が表示する。表示された店舗情報は、利用するテーブル席を確保することが可能な店舗であるので、予約可能な店舗の情報である。ユーザ端末１のユーザは、予約可能な店舗情報を取得することができる。
【００８１】
（７）店舗端末２、３とユーザ端末１について
上記で説明した通り、店舗端末２、３は、店舗の店員の持つ端末である。店員とは、料理等の商品を提供する店員だけでなく、美容師やソムリエ等、店舗でサービス（ヘアカットサービスや抜栓サービス）を提供する店員であってもよい。
【００８２】
さらに、店舗端末２、３は、移動販売車（移動店舗）で商品（例えば、メロンパン）を提供する店員の持つ端末であってもよい。
【００８３】
また、本実施形態のシステムは、店舗端末２、３を２台備える場合を示したが、これに限らない。本実施形態のシステムは、店舗端末を１台、又は３台以上備えていてもよい。
また、本実施形態のシステムは、ユーザ端末を２台以上備えもよい。
【００８４】
（８）Ｄ２Ｄ通信について
上記では、ユーザ端末１と店舗端末２、３は、３ＧＰＰに規定されるＤ２Ｄ通信によって直接通信したが、３ＧＰＰに規定されるＤ２Ｄ通信に限らない。ユーザ端末１と店舗端末２、３は、Ｗｉｆｉ（登録商標）規格に規定されるＤ２Ｄ通信を用いて直接通信を行ってもよい。若しくは、ユーザ端末１と店舗端末２、３は、Ｂｌｕｅｔｏｏｔｈ（登録商標）規格に規定されるＤ２Ｄ通信を用いて直接通信を行ってもよい。ユーザ端末１と店舗端末２、３は、端末間で直接通信を行えるのであれば、どのようなＤ２Ｄ通信でも用いることができる。なお、上述のＷｉｆｉは、Ｗｉｒｅｌｅｓｓ  Ｆｉｄｅｌｉｔｙの略称である。
【００８５】
［効果の説明］
本実施形態によれば、システムは、予約可能な店舗の情報をユーザに提供する為の保守コストを十分に低減できる。
【００８６】
なぜならば、本実施形態のシステムでは、ユーザ端末が、店舗端末と直接通信し、予約可能な店舗の情報を取得するからである。その結果、本実施形態のシステムは、保守が必要な装置（例えば、特許文献１の予約処理システムの予約処理装置）を必要としない為、保守コストを十分に低減できる。
【００８７】
さらに、本実施形態のシステムは、ユーザが所望する条件を満たす、予約可能な店舗の情報を（携帯端末のユーザに）提供することができる。
【００８８】
なぜならば、ユーザ端末が、ユーザの所望する条件を含む検索条件を店舗端末に送信し、店舗端末が、ユーザ所望の条件を店舗が満たすときに、店舗の情報をユーザ端末に送信するからである。
【００８９】
≪第２の実施の形態≫
次に、本発明の第２の実施の形態について説明する。
【００９０】
第２の実施形態のシステムは、店舗端末からユーザ端末に広告を送信し、広告の効果を確認する動作を行うシステムである。第２の実施形態のシステムは、第１の実施形態のシステムの動作を行った上で、広告を送信し、その効果を確認するので、第１の実施形態のシステムが奏する効果も有する。
【００９１】
以下に、第２の実施の形態のシステムの構成と動作の詳細について説明する。図７は、本発明の第２の実施の形態におけるシステムの構成例を示す図である。
【００９２】
［構成の説明］
（１）第２の実施形態のシステムの構成
第２の実施形態のシステムは、図７に示されるように、ユーザ端末１と店舗端末２の代わりに、ユーザ端末２１と店舗端末２２を備える。また、第２の実施形態のシステムは、ユーザ端末２４も備える。ユーザ端末２４は、ユーザ端末２１と同様、店舗端末２２と無線回線を介して接続される。
【００９３】
（２）店舗端末２２の機能
（２−１）広告データ配信機能
店舗端末２２は、配信する広告データが店舗Ａの店員によって予め設定される。広告データは、店舗Ａで開催されるイベントを紹介する情報や、店舗Ａで使用可能な割引券を含むデータである。
【００９４】
店舗端末２２は、所定のボタンを押下されると、設定された広告データをＤ２Ｄ通信によってユーザ端末２１、２４に直接送信する。
【００９５】
（２−２）時間計測機能
店舗端末２２は、広告データを送信すると、自身に備わる計時機能（以下、「タイマー」という）を起動し、時間の計測を開始する。
【００９６】
（２−３）広告効果集計機能
店舗端末２２は、３つのカウンタを備えている。１つは、ユーザ端末２１、２４に到達した広告データの数をカウントする為のカウンタ（以下、「受信確認数カウンタ」という）である。もう１つは、ユーザ端末２１、２４のユーザが広告データを開封した数をカウントする為のカウンタ（以下、「開封数カウンタ」という）である。最後の１つは、ユーザ端末２１、２４のユーザが広告データをみて店舗Ａの予約を行った数をカウントする為のカウンタ（以下、「予約数カウンタ」という）である。
【００９７】
店舗端末２２は、広告データを受信したことを示すメッセージ（以下、「受信メッセージ」という）を受信すると、受信確認数カウンタの値を１つインクリメントする。
【００９８】
店舗端末２２は、広告データを開封したことを示すメッセージ（以下、「開封メッセージ」という）を受信すると、開封数カウンタの値を１つインクリメントする。
【００９９】
店舗端末２２は、予約を示すメッセージ（上述のＳ６で説明したメッセージ）を受信すると、自身に備わる予約数カウンタの値を１つインクリメントする。
【０１００】
店舗端末２２は、広告データの送信前に、上述の到達カウンタ、開封数カウンタ、及び予約数カウンタの値を０にする。
【０１０１】
（２−４）広告効果表示機能
店舗端末２２は、上述のタイマーで計測される時間が所定の時間を経過したとき、受信確認数カウンタ、開封数カウンタ、及び予約数カウンタの値を自身に備わる画面に表示する。所定の時間は、店舗端末２２の店員によって、店舗端末２２に設定される。
【０１０２】
店舗端末２２は、各種カウンタ値を表示後、タイマーを停止する。
【０１０３】
（３）ユーザ端末２１、２４の機能
ユーザ端末２１、２４は、同じ機能を有する。
【０１０４】
（３−１）広告データを受信したことを示すメッセージを出力する機能
ユーザ端末２１、２４は、Ｄ２Ｄ通信により広告データを直接受信すると、広告データを受信したことを示すメッセージを、Ｄ２Ｄ通信によって店舗端末２２に直接送信する。
【０１０５】
（３−２）、メーラー機能
ユーザ端末２１、２４は、受信した広告データを、一般的なメール形式のデータ（具体的には、ＲＦＣ５３２１に規定されるフォーマットのデータ）に変換し、変換した広告データを所定のメモリに格納する。
【０１０６】
ユーザ端末２１、２４は、メーラーを備えている。メーラーは、一般的なメーラー機能を備えており、上述の所定のメモリに格納されているメールを表示する。また、メーラーは、一般的なメーラー機能により、表示したメールがユーザによって開封されると、開封されたメールについて開封済であることを示す表示を行う。
【０１０７】
メーラーは、広告データに対応するメールについて開封済であることを示す表示を行うと、広告データ開封を示す信号を出力する。
【０１０８】
（３−３）広告データを開封したことを示すメッセージを出力する機能
ユーザ端末２１、２４は、メーラーから広告データ開封を示す信号が出力されると、広告データ開封を示すメッセージを、Ｄ２Ｄ通信によって店舗端末２０に直接送信する。
【０１０９】
上述した以外の構成や機能は、第１の実施の形態におけるシステムと同じであるので、同一の符号を付して説明を省略する。
【０１１０】
[動作の説明]
次に、本実施形態のシステムの動作を説明する。図８は、本発明の第２の実施の形態におけるシステムの動作を説明する為の図である。
【０１１１】
（１）広告データを配信する動作
まず、店舗端末２２には、図８に示されるように、広告データが店舗Ａの店員によって予め設定されている（Ｓ２０）。
【０１１２】
広告データは、店舗Ａで開催されるイベントを紹介する情報や、店舗Ａで使用可能な割引券を含むデータである。
【０１１３】
次に、店舗端末２２は、所定のボタンを押下されると、設定されている広告データをＤ２Ｄ通信によってユーザ端末２１、２４に直接送信する（Ｓ２１）。
【０１１４】
上述のＳ２１により、広告データがユーザ端末２１、２４に配信される。なお、店舗端末２２は、広告データに自身の電話番号を含めて送信するものとする。また、店舗端末２２は、自身に備わる計時機能（すなわち、タイマー）を起動し、時間の計測を開始する。
【０１１５】
（２）ユーザ端末２１、２４に到達した広告データの数をカウントする動作
次に、ユーザ端末２１、２４各々は、Ｄ２Ｄ通信により広告データを直接受信すると、広告データを受信したことを示すメッセージ（すなわち、受信メッセージ）を、Ｄ２Ｄ通信によって店舗端末２２に直接送信する（Ｓ２２）。
【０１１６】
次に、店舗端末２２は、ユーザ端末２１から受信メッセージを受信すると、受信確認数カウンタの値を１つインクリメントする（Ｓ２３）。
【０１１７】
上述の「（２−３）広告効果集計機能」で説明したように、受信確認数カウンタは、ユーザ端末２１、２４に到達した広告データの数をカウントする為のカウンタである。なお、店舗端末２２は、起動したときに、受信確認数カウンタの値を０に初期化しているものとする。
【０１１８】
また、店舗端末２２は、ユーザ端末２４から受信メッセージを受信すると、受信確認数カウンタの値を１つインクリメントする（Ｓ２４）。
【０１１９】
このとき、受信確認数カウンタの値は２である。受信確認数カウンタの値２は、２つのユーザ端末１２、２４に広告データが到達したことを示している。
【０１２０】
なお、図示していないが、ユーザ端末２１、２４は、上述のＳ２２の後、受信した広告データを、一般的なメール形式のデータ（ＲＦＣ５３２１に規定されるフォーマットのデータ）に変換し、変換した広告データ（メール）を所定のメモリに格納する。
【０１２１】
ユーザ端末２１、２４に備わるメーラーは、上述の所定のメモリに格納されているメールを表示する。また、メーラーは、一般的なメーラー機能により、表示したメールがユーザによって開封されると、開封されたメールについて開封済であることを示す表示を行う。
【０１２２】
メーラーは、広告データに対応するメールについて開封済であることを示す表示を行うと、広告データ開封を示す信号を出力する。
【０１２３】
（３）広告データが開封された数をカウントする動作
次に、ユーザ端末２１、２４は、広告データ開封を示す信号がメーラーから入力されると、広告データ開封を示すメッセージを、Ｄ２Ｄ通信によって店舗端末２２に直接送信する（Ｓ２５）。
【０１２４】
次に、店舗端末２２は、ユーザ端末２１から広告データ開封を示すメッセージを受信すると、開封数カウンタの値を１つインクリメントする（Ｓ２６）。
【０１２５】
上述の「（２−３）広告効果集計機能」で説明したように、開封数カウンタは、ユーザ端末２１、２４のユーザが広告データを開封した数をカウントする為のカウンタである。
【０１２６】
また、店舗端末２２は、ユーザ端末２４から広告データ開封を示すメッセージを受信すると、開封数カウンタの値を１つインクリメントする（Ｓ２７）。
【０１２７】
このとき、開封数カウンタの値は２である。開封数カウンタの値２は、ユーザ端末２１、２４の２つの端末において広告データが開封されたことを示している。
【０１２８】
（４）予約された数をカウントする動作
（４−１）ユーザが予約を行う為の情報を表示する動作
図示していないが、上述のＳ２５の後、ユーザ端末２１、２４は、ユーザによって所定のボタンが押下されると、メモリに格納されている広告データを読み出し、読み出した広告データを、自身に備わる画面に広告データを表示する。
【０１２９】
また、ユーザ端末２１、２４は、広告データと共に、「（４−１−２）Ｓ５で追加される動作」に上述した店舗Ａボタンを表示する。店舗Ａボタンは、店舗Ａの予約を行う為のボタンである。店舗Ａボタンには、「店舗Ａに予約」との文字が表記されている。
【０１３０】
また、ユーザ端末２１、２４は、「広告データの店舗Ａを予約したい場合は、入店する時間と人数を入力の上、『店舗Ａに予約』と記載されているボタンを押下して下さい。」と表示する。
【０１３１】
以下、ユーザ端末２１のユーザが、広告データの店舗Ａを予約すべく、入店する時間、と人数を入力し、店舗Ａボタンを押下したものとして説明を続ける。
【０１３２】
（４−２）ユーザが予約を行ったときの動作
次に、ユーザ端末２１は、入力手段から入店する時間と人数が入力され、上述の店舗Ａボタンが押下されると、図８に示されるように、Ｄ２Ｄ通信機能によって店舗端末２２に対し、予約を示すメッセージを直接送信する（Ｓ２８）。
【０１３３】
なお、ユーザ端末１は、入力された入店する時間と人数を、予約を示すメッセージに含めて送信する。入店する人数分の座席を予約する為である。
【０１３４】
次に、ユーザ端末２１と店舗端末２２は、上述のＳ７〜Ｓ９を実施し、上述の人数分の座席を予約する（Ｓ７〜Ｓ９）。
【０１３５】
次に、上述のＳ７〜Ｓ９の後、店舗端末２２は、予約数カウンタの値を１つインクリメントする（Ｓ２９）。
【０１３６】
このときの予約数カウンタの値は１であるが、予約数カウンタの値は、広告データをみて予約を行ったユーザ端末のユーザが１名いることを示している。
【０１３７】
（５）広告効果表示動作
次に、店舗端末２２は、上述のＳ２１で起動したタイマーにより計測される時間（すなわち、広告データを送信してからの時間）が所定の時間経過した場合に、各種カウンタの値を自身に備わる画面に表示する（Ｓ３０）。
【０１３８】
上述の各種カウンタの値とは、受信確認数カウンタ、開封数カウンタ、及び予約数カウンタの値のことである。
【０１３９】
その結果、店舗端末２２の店員は、店舗端末２２の画面に表示された各種カウンタ値を確認し、店舗端末２２の店員は、広告の効果を確認することができる。例えば、店舗端末２２の店員は、広告データを送信した結果、広告データが２つのユーザ端末に届き、そのうち、ユーザ端末のユーザ２名が開封を行い、１名が予約まで行ったことを確認でき、広告の効果を確認することができる。
【０１４０】
（６）ユーザ端末２１、２４について
（６−１）ユーザ端末２１、２４を持つユーザについて
図９は、本発明の第２の実施の形態におけるシステムに備わるユーザ端末について説明する為の図である。本実施形態のシステムは、ユーザ端末２１、２４は、図９に示されるように、店舗Ａ、Ｂ内にいる客の端末であってもよい。
【０１４１】
（６−２）その他の追加動作（店舗端末２から店舗情報が送信される動作）
店舗Ａの店舗端末２２は、上述のＳ１０で入力された店舗Ａの店舗情報を、店舗端末３を介して、店舗Ｂ内のユーザ端末２４に（自主的に）送信してもよい。店舗Ａの店舗端末２２は、他の店舗Ｂにいるユーザ端末２４のユーザに対し、店舗Ａを宣伝することができる。
【０１４２】
上述の動作は、以下のＳ４０〜Ｓ４２の通りに実現される。図１０は、本発明の第２の実施の形態におけるシステムのその他の動作（店舗端末２から店舗情報が送信される動作）を説明する為の図である。
【０１４３】
まず、店舗Ａの店舗端末２２は、図１０に示されるように、上述のＳ１０と同様、店舗Ａの店員により店舗Ａの店舗情報が入力されたとする（Ｓ１０）。
【０１４４】
次に、店舗Ａの店舗端末２２は、入力された店舗Ａの店舗情報をＤ２Ｄ通信により、店舗Ｂの店舗端末３に直接送信する（Ｓ４０）。
【０１４５】
次に、店舗Ｂの店舗端末３は、店舗端末２２から受信した店舗Ａの店舗情報を、Ｄ２Ｄ通信によって店舗Ｂ内のユーザ端末２４に直接送信する（Ｓ４１）。
【０１４６】
次に、ユーザ端末２４は、受信した店舗Ａの店舗情報を、自身に備わる画面に表示する（Ｓ４２）。
【０１４７】
店舗Ａの店舗端末２２は、他の店舗Ｂにいるユーザ端末２４のユーザに対し、店舗Ａがあることを知らせることができる。その結果、店舗Ａの店舗端末２２は、店舗Ａに集客を促せる可能性がある。
【０１４８】
その他の動作については、第１の実施の形態の動作と同様である為、詳細の説明を省略する。
【０１４９】
（７）店舗端末２２、３とユーザ端末２１、２４が機能部を備える場合
なお、ユーザ端末２１、２４と店舗端末２２、３は、機能部をいくつか備え、各機能部に上記の処理を分担させてもよい。
【０１５０】
例えば、ユーザ端末２１、２４は、機能部として、要求部と表示部を備えてもよい。その場合、要求部が上述のＳ２の処理を実施し、表示部が上述のＳ５の処理を実施する。また、ユーザ端末２１、２４は、受信部と送信部も備えてもよい。その場合、受信部は、上述のＳ２２において広告データを受信する処理を実施し、送信部は、上述のＳ２２において広告データを送信する処理、上述のＳ２５の処理、及び上述のＳ２８の処理を行う。
【０１５１】
さらに、店舗端末２２、３は、受信部と、応答部と、送信部と、表示部と、を備えてもよい。その場合、受信部は、上述のＳ３において情報を受信する処理を実施し、応答部は、上述のＳ３で条件を満たすかを判別する処理、上述のＳ４の処理を実施する。送信部は、上述のＳ２１の処理を実施し、表示部は、上述のＳ２３〜Ｓ２４、Ｓ２６〜Ｓ２７、Ｓ２９〜Ｓ３０の処理を実施する。
【０１５２】
各機能部は、端末上で動作する一般的なアプリケーションを用いて実現することができる。
【０１５３】
［効果の説明］
本実施形態のシステムでは、店舗端末２２のユーザは、ユーザ端末に配信した広告（広告データ）の効果を確認することができる。
【０１５４】
なぜならば、本実施形態のシステムでは、ユーザ端末が、配信された広告を受信したとき、広告を開封したとき、広告に係る店舗の予約を行ったときに、対応するメッセージを店舗端末２２に送信し、店舗端末２２が、各メッセージの総計を表示するからである。
【０１５５】
その結果、広告を配信した店舗端末２２の店員は、どの程度のユーザ端末に広告が配布されたのか、それを何人のユーザが開封したのか、さらに、何人のユーザが予約まで行ったのか、を確認でき、広告の効果を確認することができる。
【０１５６】
なお、本実施形態のシステムは、第１の実施形態のシステムと同じ動作を行うので、第１の実施形態のシステムと同様、予約可能な店舗の情報をユーザに提供する為の保守コストを十分に低減できる。
【０１５７】
≪第３の実施の形態≫
図１１は、本発明の第３の実施の形態におけるシステムの構成例を示す図である。以下に、第３の実施の形態のシステムの構成と動作について説明する。
【０１５８】
［構成の説明］
（１）第３の実施形態のシステムの構成
第３の実施形態のシステムは、図１１に示されるように、第１の端末３０と第２の端末４０を備える。第１の端末３０と第２の端末４０は、無線回線を介して接続される。
【０１５９】
上述の第１の端末３０は、客先との懇親会の二次会の会場を予約する為、予約可能な店舗の情報を取得したい者（以下、「ユーザ」という）が保持する端末であり、第２の端末４０は、店舗の店員が保持する端末であってもよい。
【０１６０】
（２）第１の端末３０と第２の端末４０の構成
第１の端末３０は、要求部３００と、表示部３０１と、を備える。要求部３００は、表示部３０１と接続される。
【０１６１】
第２の端末４０は、記憶部４０１と、受信部４０２と、応答部４０３と、を備える。応答部４０３は、記憶部４０１と受信部４０２に接続される。
【０１６２】
（３）第１の端末３０の各部位の機能
要求部３００は、接続する他の端末（第２の端末４０）に対し、入力された店舗の利用に係る数をＤ２Ｄ（Ｄｅｖｉｃｅ  ｔｏ  Ｄｅｖｉｃｅ）通信にて直接送信する。
【０１６３】
上述の「店舗の利用に係る数」とは、店舗を利用する人数であってもよい。さらに、店舗に備わる席や部屋は店舗の一部であるので、店舗の利用に係る数とは、店舗の席や部屋をいくつ利用するかを示す数のことであってもよい。具体的には、「店舗の利用に係る数」は、店舗において利用する席の数、店舗において利用する部屋の数、店舗において利用するテーブル席の数のいずれかであってもよい。
【０１６４】
また、表示部３０１は、上述の送信に応じて他の端末（第２の端末４０）からＤ２Ｄ通信により直接返信された店舗情報を表示する。
【０１６５】
（４）第２の端末４０の各部位の機能
記憶部４０１は、入力された店舗の収容能力に係る数、すなわち収容数を含む店舗情報を記憶する。
【０１６６】
上述の「店舗の収容能力に係る数」とは、店舗に収容可能な人数であってもよい。店舗の収容能力は、店舗における席や部屋の空き状況により変化する。その為、上述の「店舗の収容能力に係る数」は、店舗における空き席数であってもよいし、店舗において空いている個室の数であってもよい。さらに、「店舗の収容能力に係る数」は、店舗で空いているテーブル座席の数であってもよい。
【０１６７】
受信部４０２は、接続する他の端末（すなわち、第１の端末３０）から、店舗の利用に係る数、すなわち、利用数をＤ２Ｄ通信にて直接受信する。
【０１６８】
応答部４０３は、（受信部４０２が受信した）利用数が上述の収容数よりも少ないときに、上述の店舗情報を他の端末（第１の端末３０）にＤ２Ｄ通信にて直接送信する。
【０１６９】
[動作の説明]
次に、本実施形態のシステムの動作を説明する。
【０１７０】
なお、以下では、上述の「店舗の利用に係る数」が店舗を利用する人数であり、上述の「店舗の収容能力に係る数」が店舗に収容可能な人数であるものとして説明を行う。
【０１７１】
まず、第２の端末４０の記憶部４０１は、店舗の収容能力に係る数（すなわち、店舗に収容可能な人数）を含む店舗情報が予め入力され、その店舗情報を記憶しているものとする。
【０１７２】
第２の端末４０を保持する店舗の店員が、上述の店舗情報を、第２の端末４０の記憶部４０１に入力してもよい。店舗情報には、収容数以外に店舗の住所や写真等が含まれていてもよい。
【０１７３】
（１）第１の端末３０からの送信
第１の端末３０のユーザは、予約可能な店舗の情報を取得すべく、店舗の利用に係る数（すなわち、店舗を利用する人数）を第１の端末３０の要求部３００に入力する。
【０１７４】
すると、第１の端末３０の要求部３００は、接続する他の端末（すなわち、第２の端末４０）に対し、入力された店舗を利用する人数をＤ２Ｄ通信にて直接送信する。
【０１７５】
（２）第２の端末４０からの返信
次に、第２の端末４０の受信部４０２は、接続する他の端末（すなわち、第１の端末３０）から、店舗を利用する人数をＤ２Ｄ通信にて直接受信する。
【０１７６】
次に、第２の端末４０の応答部４０３は、（受信部４０２が受信した）店舗を利用する人数が、記憶する収容可能人数よりも少ないときに、上述の店舗情報を第１の端末３０にＤ２Ｄ通信にて直接送信する。
【０１７７】
（３）第１の端末３０における表示
次に、第１の端末３０の表示部３０１は、送信に応じて他の端末（すなわち、第２の端末４０）からＤ２Ｄ通信により直接返信された店舗情報を表示する。
【０１７８】
ここで表示された店舗情報は、店舗を利用する人数に対応可能な店舗の情報なので、店舗が開店していることを前提とするが、予約可能な店舗の情報である。本実施形態のシステムは、システムの保守者が保守すべき装置を介さずに、予約可能な店舗の情報を第１の端末３０のユーザに提供することができる。
【０１７９】
なお、上述の「店舗の利用に係る数」は、店舗において利用する席の数、又は店舗において利用する部屋の数であってもよい。その場合、上述の「店舗の収容能力に係る数」は、店舗における空き席の数、又は、店舗における空き部屋数である。第１の端末３０の表示部３０１には店舗情報が表示されることとなるが、その店舗情報は、利用するテーブル席の数や部屋数を確保することが可能な店舗の情報であり、（店舗が開店していることを前提とするが、）予約可能な店舗の情報である。
【０１８０】
［効果の説明］
本実施形態によれば、システムは、予約可能な店舗の情報をユーザに提供する為の保守コストを十分に削減できる。
【０１８１】
なぜならば、本実施形態のシステムでは、ユーザの保持する第１の端末３０が、第２の端末４０と直接通信し、予約可能な店舗の情報を取得するからである。その結果、本実施形態のシステムは、保守が必要な装置（例えば、特許文献１の予約処理システムの予約処理装置）を必要としない為、保守コストを十分に低減できる。
【０１８２】
なお、上述した実施の形態は、その形態に限定されるものではなく、実施段階ではその要旨を逸脱しない範囲で種々変更可能である。
【０１８３】
さらに、上記の各実施形態の一部又は全部は、以下の付記のようにも記載されうるが、以下には限られない。
（付記１）
接続する他の端末に対し、入力された店舗の利用に係る数をＤ２Ｄ（Ｄｅｖｉｃｅ  ｔｏ  Ｄｅｖｉｃｅ）通信にて直接送信する要求部と、
前記送信に応じて前記他の端末から前記Ｄ２Ｄ通信により直接返信された店舗情報を表示する表示部と、
を備えることを特徴とする端末。
（付記２）
前記要求部は、入力されたユーザ所望の条件を示す情報を前記情報に含めて送信する、
ことを特徴とする付記１に記載の端末。
（付記３）
前記他の端末から広告データを前記Ｄ２Ｄ通信にて直接受信する受信部と、
前記受信部が前記広告データを受信すると、受信確認を示すメッセージを前記Ｄ２Ｄ通信にて前記他の端末に直接送信する前記送信部と、を備える
ことを特徴とする付記１乃至２のいずれか１項に記載の端末。
（付記４）
所定のメモリに格納されたメールが既読されると、前記メールについて開封済であることを示す表示を行うメーラーを備え、
前記受信部は、受信した前記広告データを前記メールとして前記所定のメモリに格納し、
前記メーラーは、前記広告データに対応するメールについて前記開封済であることを示す表示を行うと、所定の信号を出力し、
前記送信部は、前記所定の信号が入力されると、広告データ開封を示すメッセージを、前記Ｄ２Ｄ通信にて前記他の端末に直接送信する、
ことを特徴とする付記３に記載の端末。
（付記５）
表示部は、前記店舗情報と共に、押下可能なボタンを表示し、
前記送信部は、前記ボタンが押下されると、予約を示すメッセージを前記Ｄ２Ｄ通信にて前記他の端末に直接送信する、
ことを特徴とする付記３乃至４のいずれか１項に記載の端末。
（付記６）
入力された店舗の収容能力に係る数、すなわち収容数を含む店舗情報を記憶する記憶部と、
接続する他の端末から、前記店舗の利用に係る数、すなわち利用数をＤ２Ｄ（Ｄｅｖｉｃｅ  ｔｏ  Ｄｅｖｉｃｅ）通信にて直接受信する受信部と、
前記受信部が受信した前記利用数が前記収容数よりも少ないときに、前記店舗情報を前記他の端末に前記Ｄ２Ｄ通信にて直接送信する応答部と、
を備えることを特徴とする端末。
（付記７）
前記記憶部は、前記店舗に係る情報も含む前記店舗情報を記憶し、
前記応答部は、前記時間が前記店舗の営業時間内であり、且つ、前記人数が前記収容可能人数以内であり、且つ、前記受信部が受信した前記情報から抽出した前記他の端末のユーザ所望の条件を示す情報が、前記店舗に係る情報の示す範囲に含まれているときには、前記店舗情報を前記他の端末に前記Ｄ２Ｄ通信にて直接送信する、
ことを特徴とする付記６に記載の端末。
（付記８）
所定の信号が入力されると、所定の広告データを前記他の端末に前記Ｄ２Ｄ通信にて直接送信する送信部と、
前記送信に応じて前記他の端末から前記Ｄ２Ｄ通信により直接返信された前記メッセージの数を種類毎にカウントして表示する表示部と、を備える、
ことを特徴とする付記６乃至７のいずれか１項に記載の端末。
（付記９）
無線回線を介して接続される第１の端末と第２の端末を備え、
前記第１の端末は、付記１乃至５のいずれか１項に記載の端末であり、
前記第２の端末は、付記６乃至８のいずれか１項に記載の端末である、
ことを特徴とするシステム。
（付記１０）
第１の端末のユーザに店舗情報を提供する方法であって、
前記第１の端末は、接続する第２の端末に対し、入力された店舗の利用に係る数、すなわち利用数をＤ２Ｄ（Ｄｅｖｉｃｅ  ｔｏ  Ｄｅｖｉｃｅ）通信にて直接送信し、
前記第２の端末は、前記第１の端末より直接受信した前記利用数が所定の前記店舗の収容能力に係る数より少ないときに、所定の前記店舗情報を前記第１の端末に前記Ｄ２Ｄ通信にて直接送信し、
前記第１の端末は、前記第２の端末から前記Ｄ２Ｄ通信により直接返信された前記店舗情報を表示する、
ことを特徴とする情報提供方法。
（付記１１）
前記第１の端末は、入力された店舗を利用する時間を前記第２の端末に直接送信し、
前記第２の端末は、前記第１の端末から直接受信した前記店舗を利用する時間が、所定の前記店舗の営業時間内であるとき、前記店舗情報を前記第１の端末に前記Ｄ２Ｄ通信にて直接送信する、
ことを特徴とする付記１０に記載の情報提供方法。
（付記１２）
前記第１の端末は、入力されたユーザ所望の条件を示す情報を直接送信し、
前記第２の端末は、直接受信した前記ユーザ所望の条件を示す情報が、所定の前記店舗に係る情報の示す範囲内に含まれているときに、前記店舗情報を前記第１の端末に前記Ｄ２Ｄ通信にて直接送信する、
ことを特徴とする付記１０乃至１１のいずれか１項に記載の情報提供方法。
（付記１３）
前記ユーザ所望の条件を示す情報とは、店舗に提供してほしい料理名、希望する予算金額、及び希望する店舗のジャンルの少なくともいずれかを含む情報であり、
前記店舗に係る情報は、前記店舗が提供するメニュー、お客の平均支払金額、前記店舗の業態の少なくともいずれかを含む情報であり、
前記第２の端末は、受信した前記情報に含まれる前記料理名が前記メニューに含まれる場合、前記予算金額が前記お客の平均支払金額以内である場合、前記店舗のジャンルが前記店舗の業態の１つである場合、の少なくともいずれか１つを満たすときには、前記店舗情報を前記第１の端末に前記Ｄ２Ｄ通信にて直接送信する、
ことを特徴とする付記１２に記載の情報提供方法。
（付記１４）
前記Ｄ２Ｄ通信は、リリース１２以降の３ＧＰＰ（３ｒｄ  Ｇｅｎｅｒａｔｉｏｎ  Ｐａｒｔｎｅｒｓｈｉｐ  Ｐｒｏｊｅｃｔ）に規定される通信方法である、
ことを特徴とする付記９に記載のシステム。
（付記１５）
前記店舗の利用に係る数は、前記店舗を利用する人数、前記店舗において利用する席の数、前記店舗において利用する部屋の数、前記店舗において利用するテーブル席の数のいずれかである、
ことを特徴とする付記１乃至５のいずれか１項に記載の端末。
（付記１６）
前記店舗の収容能力に係る数は、前記店舗に収容可能な人数、前記店舗で空いている席の数、前記店舗で空いている部屋の数のいずれかである、
ことを特徴とする付記６乃至８のいずれか１項に記載の端末。
（付記１７）
前記要求部は、入力された店舗を利用する時間を前記他の端末に直接送信する、
ことを特徴とする付記１乃至５、又は付記１５のいずれか１項に記載の端末。
（付記１８）
前記記憶部は、前記店舗の営業時間を含む前記店舗情報を記憶し、
前記受信部は、前記店舗を利用する時間を前記Ｄ２Ｄ通信にて前記他の端末から直接受信し、
前記応答部は、前記受信部が受信した前記店舗を利用する時間が前記店舗の営業時間内であるときは、前記店舗情報を前記他の端末に前記Ｄ２Ｄ通信にて直接送信する、
ことを特徴とする付記６乃至８、又は付記１６のいずれか１項に記載の端末。
【符号の説明】
【０１８４】
１、２１、２４    ユーザ端末
２、３、２２    店舗端末
３０    第１の端末
４０    第２の端末
３００    要求部
３０１    表示部
４０１    記憶部
４０２    受信部
４０３    応答部
【図１】
0006405825.tif 000002
【図２】
0006405825.tif 000003
【図３】
0006405825.tif 000004
【図４】
0006405825.tif 000005
【図５】
0006405825.tif 000006
【図６】
0006405825.tif 000007
【図７】
0006405825.tif 000008
【図８】
0006405825.tif 000009
【図９】
0006405825.tif 000010
【図１０】
0006405825.tif 000011
【図１１】
0006405825.tif 000012